(57)【要約】【課題】人体に装着されたデータ通信装置１０Ａ、１０Ｂとデータ通信装置２０との間で、人体を介してデータの送受信を行うデータ通信システムにおいて、データ通信装置を携帯した人が至近距離に複数存在する場合のデータ送受信の混信を防止する。【解決手段】第１データ通信装置１０Ａ、１０Ｂは、第２データ通信装置２０からの起動信号を受信し（Ｓ１０１）、遅延時間の短い第１データ通信装置１０Ｂが起動通知信号を送信する。遅延時間の長い第１データ通信装置１０Ａは、起動通知信号を受信すると（Ｓ１０２でＹＥＳ）、他の第１データ通信装置１０Ｂと第２データ通信装置２０の間で信号の送受信が行われていると判断し、混信通知信号を出力する（Ｓ１０６）。第１データ通信装置１０Ａ及びＳ１０４、Ｓ２０３で混信通知信号を受信した他の第１データ通信装置１０Ｂ及び第２データ通信装置２０は、所定のエラー処理を行う（Ｓ１０７、Ｓ１０８、Ｓ２０５）。【選択図】図３
2005277986.tif 000002
【特許請求の範囲】
【請求項１】
第１データ通信装置と第２データ通信装置との間のデータ送受信を、前記第１データ通信装置を携帯している人が前記第２データ通信装置に接触することによって行うデータ通信システムであって、
前記第１データ通信装置は、前記第２データ通信装置との間で信号の送受信を行おうとしているときに、他の第１データ通信装置と前記第２データ通信装置の間で信号の送受信が行われていることを検出する送受信検出手段と、前記送受信検出手段が他の第１データ通信装置と前記第２データ通信装置との間で信号の送受信が行われていることを検出したときに、所定のエラー処理を行うエラー処理手段を備えたことを特徴とするデータ通信システム。
【請求項２】
前記第２データ通信装置は、第１データ通信装置に対して起動信号を出力する起動信号出力手段を備え、
前記第１データ通信装置は、前記起動信号を検出する起動信号検出手段と、前記起動信号を検出したときに、所定時間経過後起動通知信号を出力する起動通知信号出力手段をさらに備え、
前記送受信検出手段は、他の第１データ通信装置から出力された起動通知信号を受信することにより、他の第１データ通信装置と前記第２データ通信装置とがデータの送受信を行っていることを検出することを特徴とする請求項１に記載のデータ通信システム。
【請求項３】
前記第１データ通信装置は、前記送受信検出手段が他の第１データ通信装置と前記第２データ通信装置とがデータの送受信を行っていることを検出したときに、混信通知信号を出力する混信通知信号出力手段と、他の第１データ通信装置から出力された混信通知信号を検出する混信通知信号検出手段をさらに備え、
前記第２データ通信装置は、第１データ通信装置から出力された混信通知信号を検出する混信通知信号検出手段と、前記混信通知信号検出手段が前記混信通知信号を検出したときに、所定のエラー処理を行うエラー処理手段をさらに備え、
前記他の第１データ通信装置及び前記第２データ通信装置の各エラー処理手段は、混信通知信号検出手段が前記混信通知信号を検出したときに、所定のエラー処理を行うことを特徴とする請求項２に記載のデータ通信システム。
【請求項４】
前記第１データ通信装置の起動通知信号出力手段は、前記起動信号を検出してから前記起動通知信号を出力するまでの遅延時間として、それぞれ固有の値を有していることを特徴とする請求項２に記載のデータ通信システム。
【請求項５】
複数の第１データ通信装置と１つの第２データ通信装置との間でデータの送受信を行うデータ通信システムであって、
前記第１データ通信装置は、前記第２データ通信装置との間で信号の送受信を行おうとしているときに、それぞれ他の第１データ通信装置から前記第２データ通信装置へ送信された信号を検出し、他の第１データ通信装置及び前記第２データ通信装置に対して混信通知信号を出力し、
前記第１データ通信装置、前記混信通知信号を受信した他の第１データ通信装置及び前記第２データ通信装置は、それぞれ所定のエラー処理を行うことを特徴とするデータ通信システム。
【請求項６】
前記第１データ通信装置から送信される信号波形と前記第２データ通信装置から送信される信号波形が異なることを特徴とする請求項１乃至請求項５のいずれかに記載のデータ通信システム。
【発明の詳細な説明】
【技術分野】
【０００１】
本発明は、人体に装着されたデータ通信装置と、人体が接触することを予定されているデータ通信装置との間で、人体を介してデータの送受信を行うデータ通信システムに関する。
【背景技術】
【０００２】
例えば特許文献１又は特許文献２に示されているように、人が携帯しているデータ通信装置と他の機器に組み込まれたデータ通信装置との間でのデータの送受信を、ケーブルや無線通信を用いずに、人体を介して行うデータ通信システムが提案されている。
【０００３】
人が携帯するデータ通信装置（第１データ通信装置とする）は、人体に接触される２つの送信電極と、交流信号を生成する発振部と、送信するデータに基づいて交流信号を変調する変調部と、変調部により変調された変調信号に対応する電圧を２つの送信電極間に印加する電圧印加部を備えている。一方、他の機器に組み込まれたデータ通信装置（第２データ通信装置とする）は、大地に接地された接地電極と、人体に接触される接触電極と、接触電極と接地電極とを介して受信した変調信号を復調する復調部を備えている。
【０００４】
このようなデータ通信システムによれば、煩わしいケーブルの着脱作業を行うこともなく、また高価な無線通信装置を用いることなく、簡単かつ低コストで第１データ通信装置と第２データ通信装置との間のデータ送受信を行うことができる。さらに、ケーブル用コネクタや無線通信装置を必要としないので、特に第１データ通信装置を小型軽量化することができる。
【０００５】
ところが、上記データ通信システムでは、至近距離に同様の第１データ通信装置を携帯した人が複数存在した場合に、データの送受信が混信する可能性がある。例えば、第１データ通信装置を携帯した人物Ａが第２データ通信装置との間でデータの送受信を行っていたとする。その際、他の第１データ通信装置を携帯した人物Ｂが、何らかの弾みに人物Ａの体と接触したとする。その場合、人物Ｂの第１データ通信装置から、人物Ｂの体及び人物Ａの体を介して第２データ通信装置にデータが送信される可能性がある。第２データ通信装置は、受信したデータが人物Ａの第１データ通信装置からのものなのか、あるいは人物Ｂの第１データ通信装置からのものなのかを識別することができず、データの混信が生じる。また、このようなデータの混信は、必ずしも人体同士が直接接触した場合に限られず、その他の媒体を介して接触した場合などでも起こりうる。
【特許文献１】特開２００１−７７７３５号公報  （図２、段落０００８）
【特許文献２】特開２００１−２２３６４９号公報
【発明の開示】
【発明が解決しようとする課題】
【０００６】
本発明は、上記の問題を解決するためになされたものであり、データ通信装置を携帯した人が至近距離に複数存在する場合であっても、データ送受信の混信を防止しうるデータ通信システムを提供することを目的とする。
【課題を解決するための手段】
【０００７】
上記目的を達成するために請求項１の発明は、第１データ通信装置と第２データ通信装置との間のデータ送受信を、前記第１データ通信装置を携帯している人が前記第２データ通信装置に接触することによって行うデータ通信システムであって、前記第１データ通信装置は、前記第２データ通信装置との間で信号の送受信を行おうとしているときに、他の第１データ通信装置と前記第２データ通信装置の間で信号の送受信が行われていることを検出する送受信検出手段と、前記送受信検出手段が他の第１データ通信装置と前記第２データ通信装置との間で信号の送受信が行われていることを検出したときに、所定のエラー処理を行うエラー処理手段を備えたことを特徴とする。
【０００８】
請求項２の発明は、請求項１のデータ通信システムにおいて、前記第２データ通信装置は、第１データ通信装置に対して起動信号を出力する起動信号出力手段を備え、前記第１データ通信装置は、前記起動信号を検出する起動信号検出手段と、前記起動信号を検出したときに、所定時間経過後起動通知信号を出力する起動通知信号出力手段をさらに備え、前記送受信検出手段は、他の第１データ通信装置から出力された起動通知信号を受信することにより、他の第１データ通信装置と前記第２データ通信装置とがデータの送受信を行っていることを検出することを特徴とする。
【０００９】
請求項３の発明は、請求項２のデータ通信システムにおいて、前記第１データ通信装置は、前記送受信検出手段が他の第１データ通信装置と前記第２データ通信装置とがデータの送受信を行っていることを検出したときに、混信通知信号を出力する混信通知信号出力手段と、他の第１データ通信装置から出力された混信通知信号を検出する混信通知信号検出手段をさらに備え、前記第２データ通信装置は、第１データ通信装置から出力された混信通知信号を検出する混信通知信号検出手段と、前記混信通知信号検出手段が前記混信通知信号を検出したときに、所定のエラー処理を行うエラー処理手段をさらに備え、前記他の第１データ通信装置及び前記第２データ通信装置の各エラー処理手段は、混信通知信号検出手段が前記混信通知信号を検出したときに、所定のエラー処理を行うことを特徴とする。
【００１０】
請求項４の発明は、請求項２のデータ通信システムにおいて、前記第１データ通信装置の起動通知信号出力手段は、前記起動信号を検出してから前記起動通知信号を出力するまでの遅延時間として、それぞれ固有の値を有していることを特徴とする。
【００１１】
請求項５の発明は、複数の第１データ通信装置と１つの第２データ通信装置との間でデータの送受信を行うデータ通信システムであって、前記第１データ通信装置は、前記第２データ通信装置との間で信号の送受信を行おうとしているときに、それぞれ他の第１データ通信装置から前記第２データ通信装置へ送信された信号を検出し、他の第１データ通信装置及び前記第２データ通信装置に対して混信通知信号を出力し、前記第１データ通信装置、前記混信通知信号を受信した他の第１データ通信装置及び前記第２データ通信装置は、それぞれ所定のエラー処理を行うことを特徴とする。
【００１２】
請求項６の発明は、請求項１乃至請求項５のいずれかのデータ通信システムにおいて、前記第１データ通信装置から送信される信号波形と前記第２データ通信装置から送信される信号波形が異なることを特徴とする。
【発明の効果】
【００１３】
請求項１の発明によれば、第２データ通信装置と複数の第１データ通信装置との間で同時に信号の送受信が行われようとするときに、第１データ通信装置側で所定のエラー処理が行われるので、少なくともその第１データ通信装置から第２データ通信装置への信号の送信が行われなくなり、混信によるトラブルを防止又は軽減することができる。
【００１４】
請求項２の発明によれば、全ての第１データ通信装置において、互いに他の第１データ通信装置と第２データ通信装置との間で信号の送受信が行われていることを検出することができる。
【００１５】
請求項３の発明によれば、他の第１データ通信装置及び第２データ通信装置においても、混信が生じた場合に所定のエラー処理が行われるので、全ての装置において混信によるトラブルを防止することができる。
【００１６】
請求項４の発明によれば、各第１データ通信装置を同一構造とし、遅延時間の設定のみを変えるだけで、複数の第１データ通信装置が、それぞれ時間差をおいて、他の第１データ通信装置も第２データ通信装置と信号の送受信を行っていることを検出することができる。
【００１７】
請求項５の発明によれば、第１データ通信装置と第２データ通信装置との間でのデータの送受信が、例えば非接触で行われるデータ通信システムにおいても、第２データ通信装置と複数の第１データ通信装置との間で同時に信号の送受信が行われた場合の混信によるトラブルを未然に防止することができる。
【００１８】
請求項６の発明によれば、第１データ通信装置から送信された信号と第２データ通信装置から送信された信号を識別することができるので、信号を受信した第１データ通信装置は、混信が生じているか否かを信号波形から判断することができる。
【発明を実施するための最良の形態】
【００１９】
本発明の一実施の形態に係るデータ通信システムについて説明する。図１は、本実施の形態のデータ通信システムにおいて、混信が生じない状態での使用を示す図である。また、図２は、本実施の形態のデータ通信システムにおいて、混信が生じうる状態での使用を示す図である。図１では、第２データ通信装置２０の付近に第１データ通信装置１０Ａを携帯した人物Ａしかいないので、他の第１データ通信装置１０Ｂ・・・と混信することなく、人物Ａの体を介して第１データ通信装置１０Ａと第２データ通信装置２０との間で信号の送受信を行うことができる。一方、図２では、第２データ通信装置２０の付近に人物Ａのほか、他の第１データ通信装置１０Ｂを携帯した人物Ｂがおり、人物Ａの体と人物Ｂの体が接触している。そのため、人物Ｂの第１データ通信装置１０Ｂも、人物Ｂ及び人物Ａの体を介して第２データ通信装置２０との間で信号の送受信を行うことができる。従って、混信対策を行わなければ、人物Ａのデータと人物Ｂのデータが混じった状態で第２データ通信装置２０を介して他の機器に送られてしまい、エラー又はトラブルの原因となる。本発明は、第１データ通信装置を携帯した人が至近距離に複数存在する場合であっても、データ送受信の混信を防止しうるデータ通信システムを提供する。
【００２０】
各図に示すように、データ通信システムは、人によって携帯される第１データ通信装置１０Ａ、１０Ｂ・・・と、他の機器に接続された又は組み込まれた第２データ通信装置２０で構成されている。第１データ通信装置１０Ａ、１０Ｂ・・・は、少なくともその電極部分が人体に直接接触するように携帯されるものであり、例えば指輪やブレスレットなどの形状を有するように構成されている。第２データ通信装置２０は、例えば建物や居室などの自動扉と連動した電気錠装置などに組み込まれており、第１データ通信装置１０Ａ、１０Ｂ・・・との間でデータ通信を行うことにより、建物などに出入りする人物を特定するために用いられる。
【００２１】
図３に示すように、第１データ通信装置１０Ａ、１０Ｂ・・・は、人体に接触するように配置された電極１１と、交流信号を生成する発振部１２と、送信するデータに基づいて交流信号を変調する変調部１３と、変調された信号に対応する電圧を２つの電極１１の間に印加する電圧印加部１４と、２つの電極１１の間に印加された電圧を検出する電圧検出部１５と、検出された電圧を復調して送信された信号を抽出する復調部１６と、抽出された信号に基づいて、所定の動作を行う演算処理部１７と、送信すべきデータなどを記憶する記憶部１８で構成されている。
【００２２】
図４に示すように、第２データ通信装置２０は、第１データ通信装置１０Ａ、１０Ｂ・・・を携帯した人により接触される接触電極２１と、大地に接地された接地電極２９と、交流信号を生成する発振部２２と、送信するデータに基づいて交流信号を変調する変調部２３と、変調された信号に対応する電圧を接触電極２１と接地電極２９の間に印加する電圧印加部２４と、接触電極２１と接地電極２９の間に印加された電圧を検出する電圧検出部２５と、検出された電圧を復調して送信された信号を抽出する復調部２６と、抽出された信号に基づいて、所定の動作を行う演算処理部２７と、所定の制御プログラムや送信すべき制御信号などを記憶する記憶部２８で構成されている。
【００２３】
次に、上記データ通信システムの動作について説明する。図５は、本実施の形態におけるデータ通信システムの動作を示すフローチャートである。また、図６は、図１に示すように第２データ通信装置２０の付近に第１データ通信装置１０Ａを携帯した人物Ａしかおらず、データ通信の混信が生じない場合（以下、「図１に示す場合」と略称する）における、第１データ通信装置１０Ａと第２データ通信装置２０の間での通信シーケンスを示す。図７は、図２に示すように人物Ａの近傍に人物Ｂがおり、人物Ａと人物Ｂが接触することによってデータ通信の混信が生じる可能性がある場合（以下、「図２に示す場合」と略称する）における、第１データ通信装置１０Ａ及び１０Ｂと第２データ通信装置２０の間での通信シーケンスを示す。
【００２４】
図５に示すフローチャートにおいて、第１データ通信装置１０Ａ、１０Ｂ・・・及び第２データ通信装置２０は、それぞれ待機状態にあるものとする（Ｓ１００、Ｓ２００）。第２データ通信装置２０の接触電極２１に人物Ａの手が触れると、演算処理部２７は、所定のデータを変調部２３に出力し、変調部２３は発振部２２により生成された交流信号を所定の起動信号に変調する。電圧印加部２４は、変調された起動信号に対応する電圧を接触電極２１と接地電極２９の間に印加し、起動信号を送信する（Ｓ２０１）。これら演算処理部２７、発振部２２、変調部２３、電圧印加部２４などは起動信号出力手段として機能する。
【００２５】
起動信号は、人物Ａの人体を介して第１データ通信装置１０Ａにより受信される（Ｓ１０１）。第１データ通信装置１０Ａでは、電圧検出部１５は、電極１１の間の電圧の変化として起動信号を検出する。復調部１６は、電圧検出部１５により検出された電圧を復調し、演算処理部１７に出力する。演算処理部１７は、入力された信号を所定のデータと比較して、起動信号であると判断する。電圧検出部１５、復調部１６、演算処理部１７などは起動信号検出手段として機能する。図１に示す場合、人物Ａの第１データ通信装置１０Ａのみが第１データ通信装置２０からの起動信号を受信する（Ｓ１０１）。一方、図２に示す場合、人物Ａ及び人物Ｂの人体を介して、人物Ｂの第１データ通信装置１０Ｂも起動信号を受信する。
【００２６】
第１データ通信装置１０Ａ、１０Ｂ・・・の演算処理部１７は、それぞれ起動信号を検出すると、所定の遅延時間の後、第２データ通信装置２０に対して起動通知信号を送信する（Ｓ１０３）。その間、演算処理部１７は、上記電圧検出部１５及び復調部１６を介して、他の第１データ通信装置から起動通知信号を受信したか否かを判断する（Ｓ１０２）。電圧検出部１５、復調部１６及び演算処理部１７などは、他の第１データ通信装置と第２データ通信装置２０との間での信号の送受信を検出する送受信検出手段として機能する。所定の遅延時間は、第１データ通信装置１０Ａ、１０Ｂ・・・にそれぞれ異なる固有の値が設定されており、仮に第１データ通信装置１０Ａ、１０Ｂ・・・が同時に起動信号を受信したとしても、起動通知信号を送信するタイミングが異なる。
【００２７】
例えば、人物Ｂの第１データ通信装置１０Ｂの遅延時間の方が、人物Ａの第１データ通信装置１０Ａの遅延時間よりも短いとする。図１に示す場合、人物Ｂの第１データ通信装置１０Ｂからは起動通知信号が送信されないので、ステップＳ１０２で起動通知信号は検出されず（Ｓ１０２でＮＯ）、第１データ通信装置１０Ａの演算処理部１７は、所定のデータを変調部１３に出力し、変調部１３は発振部１２により生成された交流信号を所定の起動通知信号に変調する。電圧印加部１４は、変調された起動通知信号に対応する電圧を２つの電極１１の間に印加し、起動通知信号を第２データ通信装置２０に向けて送信する（Ｓ１０３）。これら演算処理部１７、発振部１２、変調部１３、電圧印加部１４などは起動通知信号出力手段として機能する。
【００２８】
一方、図２に示す場合、先に人物Ｂの第１データ通信装置１０Ｂからは起動通知信号が送信されるので、ステップＳ１０２で起動通知信号が検出される（Ｓ１０２でＹＥＳ）。電圧検出部１５、復調部１６、演算処理部１７などは起動通知信号検出手段として機能する。
【００２９】
起動通知信号が検出たされ場合、人物Ａの第１データ通信装置１０Ａと人物Ｂの第１データ通信装置１０Ｂとの間でデータの混信が生ずるので、人物Ａの第１データ通信装置１０Ａの演算処理部１７は、所定のデータを変調部１３に出力し、変調部１３は発振部１２により生成された交流信号を所定の混信通知信号に変調する。電圧印加部１４は、変調された混信通知信号に対応する電圧を２つの電極１１の間に印加し、混信通知信号を第２データ通信装置２０に向けて送信する（Ｓ１０６）。さらに、人物Ａの第１データ通信装置１０Ａの演算処理部１７は、他の第１データ通信装置との間で混信が生じていると判断し、所定のエラー処理を行う（Ｓ１０７）。これら演算処理部１７、発振部１２、変調部１３、電圧印加部１４などは混信通知信号出力手段として機能する。
【００３０】
ステップＳ１０３で人物Ａの第１データ通信装置１０Ａから起動通知信号が送信されると、第２データ通信装置２０の電圧検出部２５は、接触電極２１と接地電極２９の間に印加された電圧の変化として起動通知信号を検出する。復調部２６は、電圧検出部２５により検出された電圧を復調し、演算処理部２７に出力する。演算処理部２７は、入力された信号を所定のデータと比較して、起動通知信号であると判断する（Ｓ２０２）。電圧検出部２５、復調部２６、演算処理部２７などは起動通知信号検出手段として機能する。
【００３１】
第２データ通信装置２０の演算処理部２７は、混信の可能性を排除するために、起動通知信号を受信しても直ちに第１データ通信装置１０Ａとの間での信号の送受信（データ通信）を行わず、一定時間の他の第１データ通信装置から混信通知信号が送信されたか否かを判断する（Ｓ２０３）。
【００３２】
図１に示す場合、人物Ａの第１データ通信装置１０Ａからは混信通知信号が送信されないので、ステップＳ２０３で混信通知信号は検出されず（Ｓ２０３でＮＯ）、第２データ通信装置２０は人物Ａの第１データ通信装置１０Ａとの間でデータ通信を行う（Ｓ２０４）。
【００３３】
図２に示す場合、先に人物Ｂの第１データ通信装置１０Ｂから起動通知信号が送信されるので、第２データ通信装置２０は、ステップＳ２０２で人物Ｂの第１データ通信装置１０Ｂからの起動通知信号を受信し、ステップＳ２０３で、人物Ａの第１データ通信装置１０Ａからの混信通知信号を受信する。その場合、第２データ通信装置２０の演算処理部２７は、人物Ａの第１データ通信装置１０Ａと人物Ｂの第１データ通信装置１０Ｂとの間でデータの混信が生じる可能性があるので、所定のエラー処理を行う（Ｓ２０５）。電圧検出部２５、復調部２６、演算処理部２７などは混信通知信号検出手段として機能する。
【００３４】
第１データ通信装置１０Ａ、１０Ｂ・・・では、それぞれステップＳ１０３で起動通知信号を送信した後、他の第１データ通信装置との間での混信を防止するために、演算処理部１７は、一定時間他の第１データ通信装置からの混信通知を受信したか否かを判断する（Ｓ１０４）。図１に示すように、第２データ通信装置２０の付近に第１データ通信装置１０Ａを携帯した人物Ａしかいない場合、人物Ｂの第１データ通信装置１０Ｂからは混信通知信号が送信されないので（Ｓ１０４でＮＯ）、人物Ａの第１データ通信装置１０Ａは、第２データ通信装置２０との間でデータ通信を行う（Ｓ１０５）。
【００３５】
一方、図２に示す場合、人物Ｂの第１データ通信装置１０Ｂは、ステップＳ１０４で人物Ａの第１データ通信装置１０Ａからの混信通知信号を受信すると、第１データ通信装置１０Ｂの演算処理部１７は、他の第１データ通信装置との間で混信が生じていると判断し、所定のエラー処理を行う（Ｓ１０８）。電圧検出部１５、復調部１６、演算処理部１７などは混信通知信号検出手段として機能する。
【００３６】
第１データ通信装置１０Ａ、１０Ｂ・・・におけるステップＳ１０７及びＳ１０８での所定のエラー処理として、例えばステップＳ１０１での起動信号の受信をリセットしてステップＳ１００の待機状態に戻る。一方、第２データ通信装置２０におけるステップＳ３０５での所定のエラー処理として、ステップＳ２０２での起動通知信号の受信及びステップＳ２０３での混信通知信号の受信をリセットしステップＳ２００の待機状態に戻ると共に、音声及び／又はモニタ装置を通じてエラーの発生及び操作のやり直しを出力する。第１データ通信装置１０Ａ、１０Ｂ・・・の演算処理部１７及び第２データ通信装置２０の２７は、それぞれエラー処理手段として機能する。
【００３７】
次に、上記第１データ通信装置１０Ａ及び１０Ｂと第２データ通信装置２０の間での信号の送受信のタイムチャートを図８に示す。図８において、（ａ）は第１データ通信装置１０Ａと第２データ通信装置２０との間で混信が生じることなく信号の送受信が行われた場合を示し、（ｂ）は第１データ通信装置１０Ｂと第２データ通信装置２０との間で混信が生じることなく信号の送受信が行われた場合を示し、（ｃ）は第１データ通信装置１０Ａ及び１０Ｂと第２データ通信装置２０の間で混信が生じる可能性がある場合を示す。
【００３８】
図８の（ａ）及び（ｂ）を比較して、第１データ通信装置１０Ａ及び１０Ｂは、それぞれ起動信号を検出してから起動通知信号を送信するまでの遅延時間として異なる固有の値が設定されており、上記の例に従えば、第１データ通信装置１０Ｂの遅延時間の方が第１データ通信装置１０Ａの遅延時間よりも短い。一方、第２データ通信装置２０は、いずれかの第１データ通信装置１０Ａ又は１０Ｂからの起動通知信号を受信すると、次のステップに移行するようにプログラムされている。また、第１データ通信装置１０Ａも、他の第１データ通信装置１０Ｂからの起動通知信号を受信すると、次のステップに移行するようにプログラムされている。そのため、（ｃ）に示すように、複数の第１データ通信装置１０Ａ及び１０Ｂが同時に第２データ通信装置２０からの起動信号を受信すると、遅延時間の短い第１データ通信装置１０Ｂからのみ起動通知信号が出力され、遅延時間の長い第１データ通信装置１０Ａからは起動通知信号が送信されない。その結果、第２データ通信装置２０は１つしか起動通知信号を受信しないので、複数の起動通知信号を受信することによる誤動作や誤判断を防止することができる。
【００３９】
また、第１データ通信装置１０Ａは、起動通知信号を送信する前に、他の第１データ通信装置１０Ｂからの起動通知信号を受信することにより、他の第１データ通信装置１０Ｂと第２データ通信装置２０との間で信号の送受信が行われており、混信が生じる可能性があることを認識することができ、適切なエラー処理を行うことができる。また、第１データ通信装置１０Ａは、起動通知信号の代わりに混信通知信号を送信するので、他の第１データ通信装置１０Ｂ及び第２データ通信装置２０も、それぞれ混信が生じる可能性があることを認識することができ、適切なエラー処理を行うことができる。その結果、２つの第１データ通信装置１０Ａと１０Ｂとの間でのデータの混信を未然に防止することができる。
【００４０】
先に述べたように、第１データ通信装置１０Ａ、１０Ｂ・・・は、第２データ通信装置２０からの起動信号と他の第１データ通信装置からの起動通知信号や混信通知信号を受信する。そのため、受信した信号がどの通信装置からの信号であり、その信号がどういう意味を有しているのかを判別する必要がある。そこで、例えば図９に示すように、第１データ通信装置１０Ａ、１０Ｂ・・・から送信される信号波形と第２データ通信装置２０から送信される信号波形を異なる形状にしてもよい。図９中、（ａ）は第１データ通信装置１０Ａ、１０Ｂ・・・から送信される信号波形を示し、（ｂ）は第２データ通信装置２０から送信される信号波形を示す。図中、「０」及び「１」は、それぞれディジタルデータを構成する「０」と「１」に相当する信号波形である。また、「Ｓ」は、例えば起動信号や起動通知信号などの特別な意味を持つ信号波形である。
【００４１】
このように第１データ通信装置１０Ａ、１０Ｂ・・・から送信される信号波形と第２データ通信装置２０から送信される信号波形を異なる形状にすることにより、信号波形だけでその信号が第１データ通信装置１０Ａ、１０Ｂ・・・から送信された信号か、あるいは第２データ通信装置２０から送信された信号かを判断することができる。
【００４２】
なお、本発明は、上記実施の形態に限定されず、様々な応用や変形が可能である。上記実施の形態の説明によれば、第１データ通信装置１０Ａ、１０Ｂ・・・の電極１１を人体に接触するように装着し、人体が第２データ通信装置２０の接触電極２１に接触することによって信号の送受信を行うように構成したが、第１データ通信装置と第２データ通信装置との間を非接触でデータ通信を行うデータ通信システムに応用することも可能である。さらに、第１データ通信装置は、第２データ通信装置との間で信号の送受信を行おうとするときに、他の第１データ通信装置から第２データ通信装置へ信号が送受されたことを検出し、他の第１データ通信装置及び第２データ通信装置に対して混信通知信号を出力し、それ自体及び混信通知信号を受信した他の第１データ通信装置及び第２データ通信装置が所定のエラー処理を行うことができればよい。
【図面の簡単な説明】
【００４３】
【図１】本発明の一実施の形態に係るデータ通信システムを混信が生じない状態での使用を示す図。
【図２】上記データ通信システムを混信が生じうる状態での使用を示す図。
【図３】上記実施の形態における第１データ通信装置の構成を示すブロック図。
【図４】上記実施の形態における第２データ通信装置の構成を示すブロック図。
【図５】上記実施の形態におけるデータ通信システムの各第１データ通信装置と第２データ通信装置の動作を示すフローチャート。
【図６】図１に示すデータ通信の混信が生じない場合における第１データ通信装置と第２データ通信装置の間での通信シーケンスを示す図。
【図７】図２に示すデータ通信の混信が生じる可能性がある場合における２つの第１データ通信装置と第２データ通信装置の間での通信シーケンスを示す図。
【図８】上記実施の形態における２つの第１データ通信装置と第２データ通信装置の間での信号の送受信を示すタイムチャート。
【図９】上記実施の形態における第１データ通信装置から送信される信号波形と第２データ通信装置から送信される信号波形の一例を示す図。
【符号の説明】
【００４４】
１０Ａ、１０Ｂ  第１データ通信装置
１１  電極
１２、２２  発振部
１３、２３  変調部
１４、２４  電圧印加部
１５、２５  電圧検出部
１６、２６  復調部
１７、２７  演算処理部
１８、２８  記憶部
２０  第２データ通信装置
２１  接触電極
２９  接地電極
【図１】
2005277986.tif 000003
【図２】
2005277986.tif 000004
【図３】
2005277986.tif 000005
【図４】
2005277986.tif 000006
【図５】
2005277986.tif 000007
【図６】
2005277986.tif 000008
【図７】
2005277986.tif 000009
【図８】
2005277986.tif 000010
【図９】
2005277986.tif 000011